【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
アプリケーション間のデータを共有する方法であって：
ウェブブラウザと同一のモバイルデバイス上に位置する第１のアプリケーションによって送信されたデータ書き込み要求を、前記ウェブブラウザにより受信するステップであって、前記データ書き込み要求は、データの書き込み先であるウェブページのアドレス情報と書き込まれるデータとを含む、ステップ（Ｓ２１０）と；
前記データ書き込み要求をウェブサーバへ送信し、前記ウェブサーバが前記データ書き込み要求に基づき前記ウェブブラウザ上の前記アドレス情報に対応する前記ウェブページを生成し前記ウェブページに前記データを書き込んだ後に送信される指示メッセージを受信するステップ（Ｓ２２０）と；
前記指示メッセージに基づき、前記モバイルデバイス上の前記ウェブページに対応する共有格納領域に前記データを格納するステップ（Ｓ２３０）と；
前記モバイルデバイス上の第２のアプリケーションによって送信された、前記ウェブページにアクセスするためのアクセス要求を受信するステップ（Ｓ２４０）と；
前記アクセス要求に基づき前記共有格納領域から前記データを読み出し、前記データを前記第２のアプリケーションへ送信するステップ（Ｓ２５０）と；を備える、
アプリケーション間のデータを共有する方法。
【請求項２】
ウェブコントローラであるＳＦＳａｆａｒｉＶｉｅｗＣｏｎｔｒｏｌｌｅｒのクラスのインスタンスを作成することにより、前記第１のアプリケーションは、前記データ書き込み要求を前記ウェブブラウザへ送信する、
請求項１に記載の方法。
【請求項３】
前記モバイルデバイス上の前記ウェブページに対応する共有格納領域に、前記ウェブブラウザによって、前記データを格納するステップの前に：
前記ウェブページの前記アドレス情報を解析して前記ウェブページのドメイン名を取得するステップと；
前記ドメイン名に基づき、前記モバイルデバイス上の前記ウェブページに対応する前記共有格納領域を特定するステップと；を備える、
請求項１又は請求項２に記載の方法。
【請求項４】
前記ドメイン名に基づき、前記モバイルデバイス上の前記ウェブページに対応する前記共有格納領域を特定するステップは：
前記ドメイン名に基づき、前記モバイルデバイス上の前記ウェブページに対応するＣｏｏｋｉｅエントリを特定するステップを備え、
前記モバイルデバイス上の前記ウェブページに対応する共有格納領域に、前記ウェブブラウザによって、前記データを格納するステップは：
前記データを、前記Ｃｏｏｋｉｅエントリに、前記ウェブブラウザによって格納するステップを備える、
請求項３に記載の方法。
【請求項５】
前記共有格納領域から前記データを読み出すことは、前記Ｃｏｏｋｉｅの名前及び長さを用いて前記Ｃｏｏｋｉｅエントリを読み出すステップを備える、
請求項４に記載の方法。
【請求項６】
前記アクセス要求は、前記アドレス情報を備える、
請求項１乃至請求項５のいずれか１項に記載の方法。
【請求項７】
前記アクセス要求に基づき前記共有格納領域から前記データを読み出すことは：
前記アドレス情報を解析して前記ウェブページの前記ドメイン名を取得するステップと；
前記ウェブページの前記ドメイン名に基づいて前記ウェブページに対応する前記Ｃｏｏｋｉｅエントリを前記モバイルデバイス内で検索するステップと；
前記Ｃｏｏｋｉｅエントリから前記データを読み出すステップと；を備える、
請求項６に記載の方法。
【請求項８】
前記アドレス情報は、統一資源位置指定子（ＵＲＬ）を備える、
請求項１乃至請求項７のいずれか１項に記載の方法。
【請求項９】
請求項１乃至請求項８のいずれか１項に記載の方法を実行するように構成された複数のモジュールを備える、
アプリケーション間のデータを共有するためのデバイス。
【手続補正２】
【補正対象書類名】明細書
【補正対象項目名】００７１
【補正方法】変更
【補正の内容】
【００７１】
本願の目的、技術的解決策、及び便益は、先に述べた具体的実施において詳細に説明されている。先に述べた説明は本願の具体的実施に過ぎず、本願の保護範囲を限定するものではないことを理解すべきである。改変、均等物との置換、又は、本願の主旨及び原理の範囲内における改良は、本願の保護範囲に包含される。
以下、本発明の実施の態様の例を列挙する。
［第１の局面］
アプリケーション間のデータ共有方法であって：
ウェブブラウザと同一のモバイルデバイス上に位置する第１のアプリケーションによって送信されたデータ書き込み要求を、前記ウェブブラウザにより受信するステップであって、前記データ書き込み要求は、データの書き込み先であるウェブページのアドレス情報と書き込まれるデータとを含む、ステップと；
前記データ書き込み要求をウェブサーバへ送信し、前記ウェブサーバが前記データ書き込み要求に基づき前記ウェブブラウザ上の前記アドレス情報に対応する前記ウェブページを生成し前記ウェブページに前記データを書き込んだ後に送信される指示メッセージを受信するステップと；
前記指示メッセージに基づき、前記モバイルデバイス上の前記ウェブページに対応する共有格納領域に前記データを格納するステップと；
前記モバイルデバイス上の第２のアプリケーションによって送信された、前記ウェブページにアクセスするためのアクセス要求を受信するステップと；
前記アクセス要求に基づき前記共有格納領域から前記データを読み出し、前記データを前記第２のアプリケーションへ送信するステップと；を備える、
アプリケーション間のデータ共有方法。
［第２の局面］
ウェブコントローラであるＳＦＳａｆａｒｉＶｉｅｗＣｏｎｔｒｏｌｌｅｒのクラスのインスタンスを作成することにより、前記第１のアプリケーションは、前記データ書き込み要求を前記ウェブブラウザへ送信する、
第１の局面に記載のデータ共有方法。
［第３の局面］
前記モバイルデバイス上の前記ウェブページに対応する共有格納領域に、前記ウェブブラウザによって、前記データを格納する前記ステップの前に：
前記ウェブページの前記アドレス情報を解析して前記ウェブページのドメイン名を取得するステップと；
前記ドメイン名に基づき、前記モバイルデバイス上の前記ウェブページに対応する前記共有格納領域を特定するステップと；を備える、
第１又は２の局面に記載のデータ共有方法。
［第４の局面］
前記ドメイン名に基づき、前記モバイルデバイス上の前記ウェブページに対応する前記共有格納領域を特定する前記ステップは：
前記ドメイン名に基づき、前記モバイルデバイス上の前記ウェブページに対応するＣｏｏｋｉｅエントリを特定するステップを備え、
前記モバイルデバイス上の前記ウェブページに対応する共有格納領域に、前記ウェブブラウザによって、前記データを格納する前記ステップは：
前記データを、前記Ｃｏｏｋｉｅエントリに、前記ウェブブラウザによって格納するステップを備える、
第３の局面に記載のデータ共有方法。
［第５の局面］
前記アクセス要求は前記アドレス情報を備え；
前記アクセス要求に基づき前記共有格納領域から前記データを読み出すことは：
前記アドレス情報を解析して前記ウェブページの前記ドメイン名を取得するステップと；
前記ウェブページの前記ドメイン名に基づいて前記ウェブページに対応する前記Ｃｏｏｋｉｅエントリを前記モバイルデバイス内で検索するステップと；
前記Ｃｏｏｋｉｅエントリから前記データを読み出すステップと；を備える、
第１乃至４の局面のいずれかに記載のデータ共有方法。
［第６の局面］
ウェブブラウザであって：
前記ウェブブラウザと同一のモバイルデバイス上に位置する第１のアプリケーションによって送信されたデータ書き込み要求を受信するよう構成された受信部であって、前記データ書き込み要求は、前記データの書き込み先であるウェブページのアドレス情報と書き込むデータとを含む、前記受信部と；
前記受信部により受信された前記データ書き込み要求を、ウェブサーバへ送信するよう構成された送信部であって、ここで、前記受信部は、前記ウェブサーバが前記データ書き込み要求に基づき前記ウェブブラウザ上の前記アドレス情報に対応する前記ウェブページを生成し前記ウェブページに前記データを書き込んだ後に送信される指示メッセージを受信するよう更に構成された、前記送信部と；
前記受信部により受信された前記指示メッセージに基づき、前記モバイルデバイス上の前記ウェブページに対応する共有格納領域に前記データを格納するよう構成された格納部であって、ここで、前記受信部は、前記モバイルデバイス上の第２のアプリケーションによって送信された前記ウェブページにアクセスするためのアクセス要求を受信するよう更に構成された、前記格納部と；
前記受信部により受信された前記アクセス要求に基づき前記共有格納領域から前記データを読み出すよう構成された読み出し部であって、ここで、前記送信部は、前記読み出し部により読み出された前記データを前記第２のアプリケーションへ送信するよう更に構成された、前記読み出し部と；を備える、
ウェブブラウザ。
［第７の局面］
前記第１のアプリケーションは、ウェブコントローラであるＳＦＳａｆａｒｉＶｉｅｗＣｏｎｔｒｏｌｌｅｒのクラスのインスタンスを作成することにより、前記データ書き込み要求を前記ウェブブラウザへ送信する、
第６の局面に記載のウェブブラウザ。
［第８の局面］
前記ウェブページの前記アドレス情報を解析して前記ウェブページのドメイン名を取得するよう構成された解析部と；
前記解析部により取得された前記ドメイン名に基づき、前記モバイルデバイスの前記ウェブページに対応する前記共有格納領域を特定するよう構成された特定部と；を更に備える、
第６又は７の局面に記載のウェブブラウザ。
［第９の局面］
前記特定部は：
前記ドメイン名に基づき前記モバイルデバイス上の前記ウェブページに対応するＣｏｏｋｉｅエントリを特定するよう構成され；
前記格納部は：
前記データを前記Ｃｏｏｋｉｅエントリ内に格納するよう構成される、
第８の局面に記載のウェブブラウザ。
［第１０の局面］
前記アクセス要求は前記アドレス情報を備え；
前記読み出し部は：
前記アドレス情報を解析して前記ウェブページの前記ドメイン名を取得し；
前記ウェブページの前記ドメイン名に基づいて前記ウェブページに対応する前記Ｃｏｏｋｉｅエントリを前記モバイルデバイス内で検索し；
前記Ｃｏｏｋｉｅエントリから前記データを読み出す；よう構成される、
第６乃至９の局面のいずれかに記載のウェブブラウザ。